【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
ネットワーク内の利用可能な帯域幅を、前記ネットワーク内の複数の通信装置のストリーミング・データ・セッションの間で分配する方法であって、通信装置において、
前記通信装置において実施される又は実施されているデータ・セッションに対する割り当て帯域幅を得るために、少なくとも１つの帯域幅パラメータを用いて帯域幅分配アルゴリズムを適用することを含み、前記少なくとも１つの帯域幅パラメータは、前記ネットワークの通信装置相互間で交換される情報メッセージから得られ、かつ、対応する情報メッセージが送信される通信装置において実施される又は実施されているデータ・セッションについての所要の帯域幅を示している、前記方法。
【請求項２】
各々の情報メッセージ内の前記少なくとも１つのパラメータは、
対応するデータ・セッションの優先度のレベルを表す優先度データと、
対応するデータ・セッションのデータ・セグメントの持続時間を表すチャンク持続時間データと、
対応するデータ・セッションの少なくとも１つの動作可能な帯域幅を表す帯域幅データと、
のうちの少なくとも１つを含む、請求項１に記載の方法。
【請求項３】
前記情報メッセージは、前記割り当て帯域幅を提供するのに使用される選択された帯域幅分配アルゴリズムを表す帯域幅分配アルゴリズム・データを含む、請求項１または２に記載の方法。
【請求項４】
前記帯域幅分配アルゴリズムは、最高レベルの優先度を有するデータ・セッションの各々への割り当てのために、前記利用可能な帯域幅を均等な配分に分けることを含む、請求項１から３のいずれか１項に記載の方法。
【請求項５】
各々のデータ・セッションのデータ・コンテンツは、複数の対応するリプリゼンテーションを有し、前記リプリゼンテーションの１つは、割り当てられた帯域幅の前記均等な配分に従って選択され、該選択されたリプリゼンテーションは、割り当てられた帯域幅の前記均等な配分以下である最大帯域幅を必要とするリプリゼンテーションである、請求項４に記載の方法。
【請求項６】
前記選択されたリプリゼンテーションについて必要とされる帯域幅が、割り当てられた帯域幅の前記均等な配分よりも少ない場合に、対応する情報メッセージが最高優先度のデータ・セッションについての他の情報メッセージよりも前に送信された最高優先度のデータ・セッションに、残りの帯域幅の少なくとも一部が再割り当てされる、請求項５に記載の方法。
【請求項７】
前記選択されたリプリゼンテーションについて必要とされる帯域幅が、前記割り当てられた帯域幅の前記均等な配分よりも少ない場合に、残りの帯域幅の少なくとも一部が、データ・セッションの優先度のレベルと、対応する情報メッセージの送信時刻と、データ・セッションの開始時刻とのうちの少なくとも１つに基づいて、より低い優先度のレベルのデータ・セッションに割り当てられる、請求項５又は６に記載の方法。
【請求項８】
前記帯域幅分配アルゴリズムは、データ・セッションの優先度のレベルの順序で、かつ、対応する情報メッセージが同一優先度の他のデータ・セッションについての他の情報メッセージよりも前に送信された少なくとも１つのデータ・セッションに、可能な限り最大の帯域幅を割り当てることを含み、前記可能な限り最大の帯域幅は、前記利用可能な帯域幅の範囲内で、同一コンテンツの他のリプリゼンテーションについて最大の帯域幅を必要とするデータ・セッションのコンテンツのリプリゼンテーションに対応している、請求項１から３のいずれか１項に記載の方法。
【請求項９】
前記帯域幅分配アルゴリズムは、最小の帯域幅を必要とするデータ・セッションのコンテンツのリプリゼンテーションに対応する帯域幅を割り当てることを含む、請求項１から３のいずれか１項に記載の方法。
【請求項１０】
より高いレベルのリプリゼンテーションを可能にするために、データ・セッションの優先度のレベルと、対応する情報メッセージの送信時刻と、データ・セッションの開始時刻とのうちの少なくとも１つに基づいて、任意の残りの利用可能な帯域幅をデータ・セッションに再割り当てすることを更に含む、請求項９に記載の方法。
【請求項１１】
所与の優先度のレベルにおいて、残りの利用可能な帯域幅が、対応するデータ・セッションについての情報メッセージの送信時刻と、データ・セッションの開始時刻との少なくとも一方に基づいて割り当てられる、請求項４から１０のいずれか１項に記載の方法。
【請求項１２】
前記情報メッセージは、他の通信装置への転送用の固定のマルチキャスト・アドレスに対して送受信される、請求項１から１１のいずれか１項に記載の方法。
【請求項１３】
前記情報メッセージは中央基地装置を介して交換される、請求項１から１１のいずれか１項に記載の方法。
【請求項１４】
同一の帯域幅割り当てアルゴリズムが、データ・セッションを開始する又は実施している全ての通信装置によって使用される、請求項１から１３のいずれか１項に記載の方法。
【請求項１５】
帯域幅割り当てアルゴリズムが、各々の帯域幅割り当てアルゴリズムに割り当てられた優先度のレベルと、各々の帯域幅アルゴリズムを選択している通信装置の数とのうちの少なくとも一方に従って決定される、直前の請求項に記載の方法。
【請求項１６】
通信装置であって、
同じネットワーク内の１つ又は複数の他の通信装置と情報メッセージを交換する通信インタフェースであって、各々の前記情報メッセージは、対応する情報メッセージが送信される通信装置において開始されるストリーミング・データ・セッションについての所要の帯域幅を示す少なくとも１つの帯域幅パラメータを含んでいる、前記通信インタフェースと、
前記通信装置において実施される又は実施されているデータ・セッションに対する割り当て帯域幅を提供するために、前記少なくとも１つの帯域幅パラメータを用いて帯域幅分配アルゴリズムを適用するように構成された１つ又は複数のプロセッサと、
を有する、前記通信装置。
【請求項１７】
前記少なくとも１つ又は複数のプロセッサが、請求項２から１５のいずれか１項に記載の方法を実施するように構成されている、請求項１６に記載の通信装置。
【請求項１８】
コンピュータ・プログラムであって、請求項１から１５のいずれか１項に記載の方法を実施する一連の命令を含んでいる、前記コンピュータ・プログラム。
【手続補正２】
【補正対象書類名】明細書
【補正対象項目名】０１５０
【補正方法】変更
【補正の内容】
【０１５０】
前述の例示の実施形態を参照すれば、多数の更なる修正と変形が当業者の心にひとりでに浮かぶであろうし、また、これらの例示の実施形態は、単に例として記載されており、本発明の有効範囲を制限する意図はなく、本発明の有効範囲は、後述の特許請求の範囲のみによって確定される。特に、種々の実施形態から得られる種々の特徴は、適切な場合、交換してもよい。
［付記１］
ネットワーク内の利用可能な帯域幅を、前記ネットワーク内の複数の通信装置のデータ・セッションの間で分配する方法であって、通信装置において、
前記通信装置において実施される又は実施されているデータ・セッションに対する割り当て帯域幅を得るために、少なくとも１つの帯域幅パラメータを用いて帯域幅分配アルゴリズムを適用することを含み、前記少なくとも１つの帯域幅パラメータは、前記ネットワークの通信装置相互間で交換される情報メッセージから得られ、かつ、対応する情報メッセージが送信される通信装置において実施される又は実施されているデータ・セッションについての所要の帯域幅を示している、前記方法。
［付記２］
各々の情報メッセージ内の前記少なくとも１つのパラメータは、
対応するデータ・セッションの優先度のレベルを表す優先度データと、
対応するデータ・セッションのデータ・セグメントの持続時間を表すチャンク持続時間データと、
対応するデータ・セッションの少なくとも１つの動作可能な帯域幅を表す帯域幅データと、
のうちの少なくとも１つを含む、付記１に記載の方法。
［付記３］
前記情報メッセージは、前記割り当て帯域幅を提供するのに使用される選択された帯域幅分配アルゴリズムを表す帯域幅分配アルゴリズム・データを含む、付記１または２に記載の方法。
［付記４］
前記帯域幅分配アルゴリズムは、最高レベルの優先度を有するデータ・セッションの各々への割り当てのために、前記利用可能な帯域幅を均等な配分に分けることを含む、付記１から３のいずれか１項に記載の方法。
［付記５］
各々のデータ・セッションのデータ・コンテンツは、複数の対応するリプリゼンテーションを有し、前記リプリゼンテーションの１つは、割り当てられた帯域幅の前記均等な配分に従って選択され、該選択されたリプリゼンテーションは、割り当てられた帯域幅の前記均等な配分以下である最大帯域幅を必要とするリプリゼンテーションである、付記４に記載の方法。
［付記６］
前記選択されたリプリゼンテーションについて必要とされる帯域幅が、割り当てられた帯域幅の前記均等な配分よりも少ない場合に、対応する情報メッセージが最高優先度のデータ・セッションについての他の情報メッセージよりも前に送信された最高優先度のデータ・セッションに、残りの帯域幅の少なくとも一部が再割り当てされる、付記５に記載の方法。
［付記７］
前記選択されたリプリゼンテーションについて必要とされる帯域幅が、前記割り当てられた帯域幅の前記均等な配分よりも少ない場合に、残りの帯域幅の少なくとも一部が、データ・セッションの優先度のレベルと、対応する情報メッセージの送信時刻と、データ・セッションの開始時刻とのうちの少なくとも１つに基づいて、より低い優先度のレベルのデータ・セッションに割り当てられる、付記５又は６に記載の方法。
［付記８］
前記帯域幅分配アルゴリズムは、データ・セッションの優先度のレベルの順序で、かつ、対応する情報メッセージが同一優先度の他のデータ・セッションについての他の情報メッセージよりも前に送信された少なくとも１つのデータ・セッションに、可能な限り最大の帯域幅を割り当てることを含み、前記可能な限り最大の帯域幅は、前記利用可能な帯域幅の範囲内で、同一コンテンツの他のリプリゼンテーションについて最大の帯域幅を必要とするデータ・セッションのコンテンツのリプリゼンテーションに対応している、付記１から３のいずれか１項に記載の方法。
［付記９］
前記帯域幅分配アルゴリズムは、最小の帯域幅を必要とするデータ・セッションのコンテンツのリプリゼンテーションに対応する帯域幅を割り当てることを含む、付記１から３のいずれか１項に記載の方法。
［付記１０］
より高いレベルのリプリゼンテーションを可能にするために、データ・セッションの優先度のレベルと、対応する情報メッセージの送信時刻と、データ・セッションの開始時刻とのうちの少なくとも１つに基づいて、任意の残りの利用可能な帯域幅をデータ・セッションに再割り当てすることを更に含む、付記９に記載の方法。
［付記１１］
所与の優先度のレベルにおいて、残りの利用可能な帯域幅が、対応するデータ・セッションについての情報メッセージの送信時刻と、データ・セッションの開始時刻との少なくとも一方に基づいて割り当てられる、付記４から１０のいずれか１項に記載の方法。
［付記１２］
前記情報メッセージは、他の通信装置への転送用の固定のマルチキャスト・アドレスに対して送受信される、付記１から１１のいずれか１項に記載の方法。
［付記１３］
前記情報メッセージは中央基地装置を介して交換される、付記１から１１のいずれか１項に記載の方法。
［付記１４］
同一の帯域幅割り当てアルゴリズムが、データ・セッションを開始する又は実施している全ての通信装置によって使用される、付記１から１３のいずれか１項に記載の方法。
［付記１５］
帯域幅割り当てアルゴリズムが、各々の帯域幅割り当てアルゴリズムに割り当てられた優先度のレベルと、各々の帯域幅アルゴリズムを選択している通信装置の数とのうちの少なくとも一方に従って決定される、直前の付記に記載の方法。
［付記１６］
通信装置であって、
同じネットワーク内の１つ又は複数の他の通信装置と情報メッセージを交換する通信インタフェースであって、各々の前記情報メッセージは、対応する情報メッセージが送信される通信装置において開始されるデータ・セッションについての所要の帯域幅を示す少なくとも１つの帯域幅パラメータを含んでいる、前記通信インタフェースと、
前記通信装置において実施される又は実施されているデータ・セッションに対する割り当て帯域幅を提供するために、前記少なくとも１つの帯域幅パラメータを用いて帯域幅分配アルゴリズムを適用するように構成された１つ又は複数のプロセッサと、
を有する、前記通信装置。
［付記１７］
前記少なくとも１つ又は複数のプロセッサが、付記２から１５のいずれか１項に記載の方法を実施するように構成されている、付記１６に記載の通信装置。
［付記１８］
プログラム可能な装置用のコンピュータ・プログラム製品であって、前記プログラム可能な装置にロードされて実行される際に付記１から１５のいずれか１項に記載の方法を実施する一連の命令を含んでいる、前記コンピュータ・プログラム製品。
［付記１９］
ネットワーク内の利用可能な帯域幅を、前記ネットワーク内の複数の通信装置のデータ・セッションの間で分配する方法であって、
前記ネットワークの通信装置によって実施される又は実施されている各々のデータ・セッションに対する割り当て帯域幅を提供する帯域幅分配アルゴリズムを適用することを含み、
前記帯域幅分配アルゴリズムは、最高レベルの優先度を有するデータ・セッションの各々への割り当てのために、前記利用可能な帯域幅を均等な配分に分けることを含む、前記方法。
［付記２０］
各々のデータ・セッションのデータ・コンテンツが、複数の対応するリプリゼンテーションを有し、前記リプリゼンテーションの１つが、割り当てられた帯域幅の前記均等な配分に従って各々のデータ・セッションについて選択され、該選択されたリプリゼンテーションが、割り当てられた帯域幅の前記配分以下である最大帯域幅を必要とするリプリゼンテーションである、付記１９に記載の方法。
［付記２１］
前記選択されたリプリゼンテーションについて必要とされる帯域幅が、割り当てられた帯域幅の前記均等な配分よりも少ない場合に、最高優先度のデータ・セッションを知らせる対応する情報メッセージが最高優先度のデータ・セッションについての他の情報メッセージよりも前に送信された最高優先度のデータ・セッションに、残りの帯域幅の少なくとも一部が再割り当てされる、付記２０に記載の方法。
［付記２２］
ネットワーク内の利用可能な帯域幅を、前記ネットワーク内の複数の通信装置のデータ・セッションの間で分配する方法であって、
前記ネットワークの通信装置によって実施される又は実施されている各々のデータ・セッションに対する割り当て帯域幅を提供する帯域幅分配アルゴリズムを適用することを含み、
前記帯域幅分配アルゴリズムは、優先度のレベルの順序で、かつ、データ・セッションを知らせる対応する情報メッセージが同一の優先度のレベルの他のデータ・セッションについての他の情報メッセージよりも前に送信された少なくとも１つのデータ・セッションに、可能な限り最大の帯域幅を割り当てることを含み、前記データ・セッションの前記可能な限り最大の帯域幅は、前記利用可能な帯域幅の範囲内で、同一コンテンツの他のリプリゼンテーションについて最大の帯域幅を必要とするデータ・セッションのコンテンツのリプリゼンテーションに対応している、前記方法。
［付記２３］
ネットワーク内の利用可能な帯域幅を、前記ネットワーク内の複数の通信装置のデータ・セッションの間で分配する方法であって、
前記ネットワークの通信装置によって実施される又は実施されている１つ又は複数のデータ・セッションに対する割り当て帯域幅を提供する帯域幅分配アルゴリズムを適用することを含み、
前記帯域幅分配アルゴリズムは、１つ又は複数のデータ・セッションに、最小の帯域幅を必要とする各々のデータ・セッションのデータ・コンテンツのリプリゼンテーションに対応する帯域幅を割り当てることを含む、前記方法。
［付記２４］
より高いレベルのリプリゼンテーションを可能にするために、データ・セッションの優先度のレベルと、データ・セッションを知らせる対応する情報メッセージの送信時刻と、データ・セッションの開始時刻とのうちの少なくとも１つに基づいて、任意の残りの利用可能な帯域幅を選択されたデータ・セッションに再割り当てすることを更に含む、付記２３に記載の方法。